Podtech/llm-jp-corpus-v4-ja_patent huggingface dataset:
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ネットワークに新規に接続する印刷装置と、
前記印刷装置に前記ネットワークへの接続に関する接続設定を行う端末装置と、
を備え、
前記印刷装置は、所定の条件下において、予め定められた通信設定に従って前記端末装置に無線接続する接続モードを実行し、
前記端末装置は、前記ネットワークと接続している場合には接続を終了し、前記接続モードを実行する前記印刷装置に無線接続して、前記接続設定を実行し、設定後に前記印刷装置との無線接続を終了して、前記ネットワークに接続し前記印刷装置に対してテストパターン印刷が可能であること、
を特徴とする通信システム。
【請求項２】
前記印刷装置は第１の無線通信部を備え、前記端末装置は第２の無線通信部を備え、
前記印刷装置は、前記接続モードで、前記第１の無線通信部を予め定められた前記通信設定に従って動作させ、
前記端末装置は、前記印刷装置で予め定められた前記通信設定に対応する通信設定に従って前記第２の無線通信部を動作させて、前記印刷装置に無線接続し、前記接続設定後に前記第２の無線通信部の通信設定を前記接続設定の少なくとも一部と同一の設定をすることにより前記ネットワークに接続すること、
を特徴とする請求項１記載の通信システム。
【請求項３】
前記印刷装置は、前記第１の無線通信部を介して前記端末装置からコマンドを受信すると通信アドレスを送信し、前記端末装置により前記接続設定がされた後に、前記第１の無線通信部の通信設定を前記接続設定に従って変更し、前記第１の無線通信部により前記ネットワークに無線接続すること、
を特徴とする請求項２記載の通信システム。
【請求項４】
前記印刷装置は、前記端末装置により前記接続設定がされた後に、前記第１の無線通信部を再起動させて前記第１の無線通信部の通信設定を変更すること、
を特徴とする請求項３記載の通信システム。
【請求項５】
前記印刷装置は、前記第１の無線通信部の設定が初期状態である場合に、前記接続モードを実行し、前記第１の無線通信部が前記端末装置により前記接続設定された状態である場合は前記ネットワークに接続すること、を特徴とする請求項２から４のいずれかに記載の通信システム。
【請求項６】
前記印刷装置は、前記接続モードの実行中において少なくとも前記端末装置が前記接続設定を実行するときにアクセスポイントとして動作し、前記端末装置と１対１で無線接続すること、
を特徴とする請求項１から４のいずれかに記載の通信システム。
【請求項７】
ネットワークに新規に接続する印刷装置の通信設定方法において、
前記印刷装置と、前記印刷装置に接続可能な端末装置とを動作させ、
前記印刷装置により、所定の条件下において、予め定められた通信設定に従って前記端末装置に無線接続する接続モードを実行し、
前記ネットワークと接続している場合には接続を終了する前記端末装置により、前記接続モードを実行する前記印刷装置に無線接続させ、前記ネットワークへの接続に関する接続設定を実行させ、設定後に前記印刷装置との無線接続を終了して前記ネットワークに接続し、前記印刷装置に対してテストパターン印刷を可能にさせること、
を特徴とする通信設定方法。
【請求項８】
ネットワークに接続可能な通信部を備え、
所定の条件下において、予め定められた通信設定に従って外部装置に無線接続する接続モードを実行し、
前記ネットワークと接続している場合には接続を終了する前記外部装置の制御に従って前記通信部が前記ネットワークへの接続に関する接続設定を実行し、設定後に前記外部装置との無線接続を終了して、前記通信部により前記ネットワークに接続し、
前記ネットワークに接続された前記外部装置により、テストパターン印刷を可能とすること、
を特徴とする印刷装置。
【手続補正２】
【補正対象書類名】明細書
【補正対象項目名】発明の名称
【補正方法】変更
【補正の内容】
【発明の名称】通信システム、通信設定方法、及び、印刷装置
【手続補正３】
【補正対象書類名】明細書
【補正対象項目名】０００１
【補正方法】変更
【補正の内容】
【０００１】
本発明は、通信システム、通信設定方法、及び、前記通信システムを構成する印刷装置に関する。
【手続補正４】
【補正対象書類名】明細書
【補正対象項目名】０００４
【補正方法】変更
【補正の内容】
【０００４】
しかしながら、特許文献２記載の方法は適用対象の装置がカメラを備えることが必要である。従って、カメラ等の手段を持たない装置において、通信に係る設定を簡単に行えるようにする手法が望まれていた。
本発明は上記事情に鑑みてなされたものであり、通信に係る設定の簡易化を実現し得る通信システム、通信設定方法、及び、印刷装置を提供することを目的とする。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
複数の列及び複数の行を成すように配され、光電変換に基づく信号を出力する複数の画素と、
前記複数の列に対応して配され、前記画素からの信号が出力される複数の信号線と、
前記複数の信号線の１つに接続され、当該１つの信号線の電位をクリップする第１のトランジスタをそれぞれ有する複数のクリップ部と、
第１の電極及び第２の電極を有し、前記第１の電極が前記第１のトランジスタの制御電極に接続される複数の保持容量と、
前記複数の保持容量の前記第２の電極に接続された配線と、
前記配線を介して、前記複数の保持容量の前記第２の電極に、互いに値の異なる複数の電圧をそれぞれ供給するシフト部と、
前記シフト部とは別に設けられ、前記配線を介して、前記複数の保持容量の少なくとも１つの前記第２の電極に第１の電圧を供給する電圧供給部と、を有し、
前記複数のクリップ部は、前記行に対応する方向に沿って並び、
前記配線は、前記シフト部の配された位置から、前記複数のクリップ部が並ぶ方向に沿って延在し、
前記電圧供給部は、前記配線の延在した部分において、前記配線に接続されることを特徴とする撮像装置。
【請求項２】
前記シフト部は、前記複数の保持容量が設けられた領域の一方の端部に設けられ、前記電圧供給部は、前記複数の保持容量が設けられた領域の前記一方の端部とは反対側の他方の端部に設けられていることを特徴とする請求項１記載の撮像装置。
【請求項３】
前記撮像装置は、前記複数の保持容量に対応して設けられた複数の前記電圧供給部を有することを特徴とする請求項１又は２記載の撮像装置。
【請求項４】
前記複数のクリップ部の各々は、ゲート接地型増幅回路とソース接地型増幅回路とを有し、
前記ゲート接地型増幅回路は、ドレインが電流源負荷に接続され、ソースが前記信号線に接続され、ゲートが前記第１の電極に接続される前記第１のトランジスタを有し、
前記ソース接地型増幅回路は、ゲートが前記第１のトランジスタのドレインに接続され、ドレインが前記信号線に接続され、ソースが電源電圧ノードに接続される第２のトランジスタを有することを特徴とする請求項１〜３のいずれか１項に記載の撮像装置。
【請求項５】
前記複数の画素の各々は、
光を電荷に変換する光電変換部と、
電荷を電圧に変換する電荷電圧変換部と、
前記光電変換部により変換された電荷を前記電荷電圧変換部へ転送する転送部と、
前記電荷電圧変換部により変換された電圧に応じた信号を前記信号線に出力する出力部とを有することを特徴とする請求項１〜４のいずれか１項に記載の撮像装置。
【請求項６】
前記出力部及び前記第１のトランジスタは、同一ウエル内に形成されていることを特徴とする請求項５記載の撮像装置。
【請求項７】
前記複数の画素の各々は、第１の期間では前記電荷電圧変換部がリセット状態にされ、前記第１の期間の後の第２の期間では前記電荷電圧変換部のリセット状態が解除され、
前記電圧供給部は、前記第１の期間では前記第２の電極と前記第１の電圧のノードとを接続し、前記第２の期間では前記第２の電極を前記第１の電圧のノードから切断することを特徴とする請求項５又は６記載の撮像装置。
【請求項８】
前記複数の画素の各々は、前記電荷電圧変換部がリセットされた状態で前記信号線に第１の信号を出力し、前記転送部により前記光電変換部の電荷が前記電荷電圧変換部へ転送された状態で前記信号線に第２の信号を出力し、
前記電圧供給部は、前記画素が前記第１の信号を出力する期間では、前記第２の電極を前記第１の電圧のノードから切断し、前記画素が前記第２の信号を出力する期間では、前記第２の電極を前記第１の電圧のノードに接続することを特徴とする請求項５〜７のいずれか１項に記載の撮像装置。
【請求項９】
前記複数の画素の各々は、前記電荷電圧変換部がリセットされた状態で前記信号線に第１の信号を出力し、前記転送部により前記光電変換部の電荷が前記電荷電圧変換部へ転送された状態で前記信号線に第２の信号を出力し、
前記電圧供給部は、前記画素が前記第１の信号を出力する期間及び前記第２の信号を出力する期間では、前記第２の電極を前記第１の電圧のノードから切断し、
前記画素が前記第２の信号を出力する期間では、前記第２の電極は、フローティング状態になることを特徴とする請求項５〜７のいずれか１項に記載の撮像装置。
【請求項１０】
さらに、前記複数の保持容量の前記第１の電極を前記複数の信号線にそれぞれ接続する複数のスイッチを有することを特徴とする請求項１〜９のいずれか１項に記載の撮像装置。
【請求項１１】
請求項１〜１０のいずれか１項に記載の撮像装置と、
前記撮像装置に光を結像させる光学部と
を有することを特徴とする撮像システム。
【手続補正２】
【補正対象書類名】明細書
【補正対象項目名】０００６
【補正方法】変更
【補正の内容】
【０００６】
本発明の撮像装置は、複数の列及び複数の行を成すように配され、光電変換に基づく信号を出力する複数の画素と、前記複数の列に対応して配され、前記画素からの信号が出力される複数の信号線と、前記複数の信号線の１つに接続され、当該１つの信号線の電位をクリップする第１のトランジスタをそれぞれ有する複数のクリップ部と、第１の電極及び第２の電極を有し、前記第１の電極が前記第１のトランジスタの制御電極に接続される複数の保持容量と、前記複数の保持容量の前記第２の電極に接続された配線と、前記配線を介して、前記複数の保持容量の前記第２の電極に、互いに値の異なる複数の電圧をそれぞれ供給するシフト部と、前記シフト部とは別に設けられ、前記配線を介して、前記複数の保持容量の少なくとも１つの前記第２の電極に第１の電圧を供給する電圧供給部と、を有し、前記複数のクリップ部は、前記行に対応する方向に沿って並び、前記配線は、前記シフト部の配された位置から、前記複数のクリップ部が並ぶ方向に沿って延在し、前記電圧供給部は、前記配線の延在した部分において、前記配線に接続されることを特徴とする。
【手続補正書】
【提出日】平成29年1月26日(2017.1.26)
【手続補正１】
【補正対象書類名】明細書
【補正対象項目名】００２５
【補正方法】変更
【補正の内容】
【００２５】
このＰＯＮシステムに従えば、局側装置ＯＬＴと宅側装置ＯＮＵとは、６４バイト以上の可変長なフレームを単位として、相互の通信を行う。
以下、宅側装置ＯＮＵと局側装置ＯＬＴとの信号の、下り方向と上り方向との信号の送受信手順を説明する。
まず、インターネット網などの上位のネットワークから局側装置ＯＬＴを経て宅側装置ＯＮＵへ向けて送られる下り方向の信号の流れを説明する。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
ユーザの操作に基づいて、画像データの格納先となるフォルダを指定する指定手段と、
前記指定手段によって指定されたフォルダに予め保存されている設定ファイルを取得する取得手段と、
前記取得手段によって取得された前記設定ファイルに記述されている読取設定に従って、原稿を読み取って画像データを生成するように、スキャナを制御する制御手段と、
前記生成された画像データを、前記指定手段によって指定された前記フォルダに格納する格納手段と、
を有することを特徴とする画像処理装置。
【請求項２】
前記取得された設定ファイルに複数の読取設定が記述されている場合、前記制御手段は、前記取得された設定ファイルに記述されている前記複数の読取設定を表示するように制御し、当該表示された複数の読取設定の中からユーザによって選択された読取設定に従って、前記原稿を読み取って画像データを生成するように、前記スキャナを制御することを特徴とする請求項１に記載の画像処理装置。
【請求項３】
前記取得された設定ファイルには、更にファイルフォーマットが記述されており、
前記格納手段は、前記生成された画像データを、前記取得された設定ファイルに記述されている前記ファイルフォーマットにして、前記指定手段によって指定された前記フォルダに格納することを特徴とする請求項１または２に記載の画像処理装置。
【請求項４】
前記指定手段によって指定されたフォルダが、ファイルを格納可能なフォルダであるか否かを判定する判定手段と、
前記指定されたフォルダがファイルを格納可能なフォルダではないと前記判定手段によって判定された場合、前記指定されたフォルダにファイルを格納することを禁止する禁止手段と、
をさらに有することを特徴とする請求項１乃至３のいずれか１項に記載の画像処理装置。
【請求項５】
前記指定手段によって指定されたフォルダに前記設定ファイルが保存されていなかった場合、前記制御手段は、デフォルトの読取設定に従って、前記原稿を読み取って画像データを生成するように前記スキャナを制御することを特徴とする請求項１乃至４のいずれか１項に記載の画像処理装置。
【請求項６】
ユーザの操作に基づいて、画像データの格納先となるフォルダを指定する指定工程と、
前記指定工程で指定されたフォルダに予め保存されている設定ファイルを取得する取得工程と、
前記取得工程で取得された前記設定ファイルに記述されている読取設定に従って、原稿を読み取って画像データを生成するように、スキャナを制御する制御工程と、
前記生成された画像データを、前記指定工程で指定された前記フォルダに格納する格納工程と、
を有することを特徴とする画像処理装置の制御方法。
【請求項７】
コンピュータを、請求項１乃至５のいずれか１項に記載された画像処理装置の各手段として機能させるためのプログラム。
【手続補正２】
【補正対象書類名】明細書
【補正対象項目名】００１１
【補正方法】変更
【補正の内容】
【００１１】
上記課題を解決するために、本発明の画像処理装置は、ユーザの操作に基づいて、画像データの格納先となるフォルダを指定する指定手段と、前記指定手段によって指定されたフォルダに予め保存されている設定ファイルを取得する取得手段と、前記取得手段によって取得された前記設定ファイルに記述されている読取設定に従って、原稿を読み取って画像データを生成するように、スキャナを制御する制御手段と、前記生成された画像データを、前記指定手段によって指定された前記フォルダに格納する格納手段と、を有することを特徴とする。
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
同じ情景を描写する第１及び第２のビデオストリームを生成するように構成されたデジタルビデオカメラ（１００）からのビデオストリーム出力の構成のための方法であって：
通信ネットワーク（３００）に接続されている前記デジタルビデオカメラにおいて、ビデオストリームパラメータの第１の組を使用して、前記情景の前記第１のビデオストリームを生成すること；
前記デジタルビデオカメラにおいて、ビデオストリームパラメータの第２の組を使用して、前記情景の前記第２のビデオストリームを生成すること；
前記通信ネットワークに接続されたクライアント（２００）において、前記第１及び第２のビデオストリームを受信すること；
前記クライアントにおいて、前記第１のビデオストリームのビットレートが影響を受けるように、前記ビデオストリームパラメータの第１の組のうちの少なくとも１つのビデオストリームパラメータを調整すること；
前記第１のビデオストリームの前記ビットレートを決定すること；
前記デジタルビデオカメラにおいて、前記ビデオストリームパラメータの第１の組のうちの前記少なくとも１つのビデオストリームパラメータの前記調整に基づいて、前記第１のビデオストリームの前記生成を連続的に調整すること；並びに
前記クライアントのディスプレイ（２０２）上で、前記第１のビデオストリームの各々のフレームのうちの少なくとも一部分、前記第２のビデオストリームの各々のフレームのうちの少なくとも一部分、及び前記第１のビデオストリームの決定された前記ビットレートに関するデータを連続的に表示することを含み、前記連続的に表示することが、前記第１のビデオストリームの各々のフレームの一部分と前記第２のビデオストリームの各々のフレームの一部分とを連続的に表示することを含み、前記第１及び第２のビデオストリームによって描写される情景の単一ビューが表示されるように、前記第２のビデオストリームの各々のフレームの前記一部分が、前記第１のビデオストリームの各々のフレームの前記一部分を補足する、方法。
【請求項２】
調整される前記ビデオストリームパラメータの第１の組のうちの前記少なくとも１つのビデオストリームパラメータは：
前記ビデオストリームの解像度、前記ビデオストリームのフレームレート、前記ビデオストリームのコントラスト、前記ビデオストリームに対するノイズリダクション設定、前記ビデオストリームに対する色調整設定、前記ビデオストリームの色空間マッピング、及び前記ビデオストリームに対する圧縮設定から成る、前記ビデオストリームパラメータの群から選ばれるビデオストリームパラメータである、請求項１に記載の方法。
【請求項３】
調整された前記ビデオストリームパラメータを、局所的に前記デジタルビデオカメラにおいて記憶することを更に含む、請求項１又は２に記載の方法。
【請求項４】
前記クライアントにおいて、前記第２のビデオストリームのビットレートが影響を受けるように、前記ビデオストリームパラメータの第２の組のうちの前記少なくとも１つのビデオストリームパラメータを調整すること；
前記第２のビデオストリームの前記ビットレートを決定すること；並びに
前記デジタルビデオカメラにおいて、前記ビデオストリームパラメータの第２の組のうちの前記少なくとも１つのビデオストリームパラメータの前記調整に基づいて、前記第２のビデオストリームの前記生成を連続的に調整すること；並びに
前記クライアントのディスプレイ上に、前記第２のビデオストリームの決定された前記ビットレートに関するデータを連続的に表示することを更に含む、請求項１から３のいずれか一項に記載の方法。
【請求項５】
調整される前記ビデオストリームパラメータの第２の組のうちの前記少なくとも１つのビデオストリームパラメータは：前記ビデオストリームの解像度、前記ビデオストリームのフレームレート、前記ビデオストリームのコントラスト、前記ビデオストリームに対するノイズリダクション設定、前記ビデオストリームに対する色調整設定、前記ビデオストリームの色空間マッピング、及び前記ビデオストリームに対する圧縮設定から成る、前記ビデオストリームパラメータの群から選ばれるビデオストリームパラメータである、請求項３に記載の方法。
【請求項６】
前記第１及び／又は第２のビデオストリームの決定された前記ビットレートに関するデータは、前記第１及び／又は第２のビデオストリームを記憶するために使用される画像データストレージのメモリ単位毎に保存され得る、前記ビデオストリームのデータの時間単位で表現される、ストレージ評価値及び／又は決定された前記ビットレート自身を含む、請求項１から５のいずれか一項に記載の方法。
【請求項７】
前記デジタルビデオカメラは、画像センサユニット（１１６）を備え、かつ前記第１及び第２のビデオストリームは、前記デジタルビデオカメラの前記画像センサユニットによって捉えられる、請求項１から６のいずれか一項に記載の方法。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
入力画像に対し、量子化することによりハーフトーン画像を生成する画像処理装置において、
値の異なる閾値が配列された閾値マトリクスを保持する保持手段と、
前記入力画像における所定領域について、前記所定領域に含まれる複数の画素の各画素値に基づいて、閾値を書き換える画素位置の候補を決定する画素位置決定手段と、
前記所定領域に対応する複数の閾値のうち少なくとも１つの閾値を用いて、前記画素位置決定手段により候補と決定された画素位置の閾値を決定する閾値決定手段と、
を有する画像処理装置。
【請求項２】
前記閾値決定手段は、前記候補と決定された画素位置の閾値を、前記候補と決定された画素位置以外の画素に対応する閾値の値に書き換えることを特徴とする請求項１に記載の画像処理装置。
【請求項３】
前記画素位置決定手段は、前記所定領域において所定値より大きい画素値をもつ画素のうち、閾値を書き換える画素位置の候補を決定することを特徴とする請求項１又は２に記載の画像処理装置。
【請求項４】
前記画素位置決定手段は、前記所定領域における各画素が、割り当てられる閾値を他の画素に提供可能な画素かどうかを判定し、提供可能な画素と判定された画素の位置と提供できないと判定された画素の位置のパターンに基づいて、閾値を書き換える画素位置の候補を決定することを特徴とする請求項１又は２に記載の画像処理装置。
【請求項５】
前記画素位置決定手段は、画素値が所定の値以下である画素を、閾値を提供可能な画素と判定することを特徴とする請求項４に記載の画像処理装置。
【請求項６】
前記閾値決定手段は、前記閾値提供可能と判定された画素の閾値が前記画素位置決定手段により候補と決定された画素位置の閾値より小さい場合に、前記閾値提供可能と判定された画素の閾値を前記画素位置決定手段により候補と決定された画素位置の新たな閾値として決定することを特徴とする請求項４に記載の画像処理装置。
【請求項７】
前記閾値決定手段は、前記閾値提供可能と判定された画素の閾値に係数を掛けた値が前記画素位置決定手段により候補と決定された画素位置の閾値より小さい場合に、前記閾値提供可能と判定された画素の閾値に係数を掛けた値を前記画素位置決定手段により候補と決定された画素位置の新たな閾値として決定することを特徴とする請求項４に記載の画像処理装置。
【請求項８】
前記係数は、前記各画素と前記閾値提供可能と判定された画素との距離に基づいて決定されることを特徴とする請求項７に記載の画像処理装置。
【請求項９】
前記閾値決定手段は、前記各画素が、前記入力画像内の線を構成する画素である場合に、前記画素位置決定手段により候補と決定された画素位置の新たな閾値を決定することを特徴とする請求項４に記載の画像処理装置。
【請求項１０】
前記入力画像の各画素が線を構成する画素であるか否かを示す情報を取得する手段を更に備え、
取得した前記情報により、前記画素位置決定手段により候補と決定された画素位置の画素が、前記線を構成する画素であるかどうかが特定されることを特徴とする請求項９に記載の画像処理装置。
【請求項１１】
前記量子化が多値を出力する量子化である場合、当該多値のうちの任意の値を設定し、前記閾値決定手段は、前記画素位置決定手段により候補と決定された画素位置の画素が、設定された前記任意の値以下の画素である場合に、前記画素位置決定手段により候補と決定された画素位置の新たな閾値を決定する
ことを特徴とする請求項１に記載の画像処理装置。
【請求項１２】
前記閾値マトリクスは、当該閾値マトリクスよりも小さいサブマトリクスを用いて作成された閾値マトリクスであることを特徴とする請求項１乃至１１のいずれか１項に記載の画像処理装置。
【請求項１３】
前記サブマトリクスのサイズは、前記所定領域と同サイズであることを特徴とする請求項１２に記載の画像処理装置。
【請求項１４】
前記所定領域は、同じ画素が複数の所定領域に跨って属さないように設定されることを特徴とする請求項１乃至１３のいずれか１項に記載の画像処理装置。
【請求項１５】
前記閾値マトリクスは、ブルーノイズ特性を持つことを特徴とする請求項１乃至１４のいずれか１項に記載の画像処理装置。
【請求項１６】
前記画素位置決定手段は、前記入力画像における第１の領域の中の当該第１の領域よりも小さい第２の領域が、閾値を提供可能な領域かどうかを判定する第２の判定手段をさらに備え、
前記閾値決定手段は、
前記第２の判定手段の判定結果に従い、前記第１の領域を前記所定領域として前記画素位置決定手段により候補と決定された画素位置の新たな閾値を仮に決定する手段と、
前記仮に決定された新たな閾値を反映した閾値マトリクスを用いて、前記第２の領域を前記所定領域として、前記画素位置決定手段により候補と決定された画素位置の新たな閾値を決定する手段と、
を備える
ことを特徴とする請求項１又は２に記載の画像処理装置。
【請求項１７】
画像形成装置によって入力画像データに基づく画像が形成された記録媒体であって、
周囲に空白ではない画素が存在する第１の画素よりも、当該第１の画素と前記入力画像データにおける画素値が同じであって周囲が空白である第２の画素の方がドットの再現確率が高いことを特徴とする記録媒体。
【請求項１８】
前記画素位置決定手段は、前記所定領域における白画素でない非白画素のうち、対応する閾値に基づいて、閾値を書き換える画素位置の候補を決定し、
前記閾値決定手段はさらに、
前記所定領域における白画素に対応する閾値を参照し、最小閾値を抽出する第一の抽出手段と、
前記第一の抽出手段によって抽出された所定領域内の白画素に対応する最小閾値と、前記画素位置決定手段により候補として決定された画素位置に対応する閾値とを比較し、比較結果に応じて、前記画素位置決定手段により候補として決定された画素位置に対応する閾値を、前記第一の抽出手段によって抽出された所定領域内の白画素に対応する最小閾値に基づいて書き換える書換手段と
を備えることを特徴とする請求項１に記載の画像処理装置。
【請求項１９】
前記書換手段は、前記画素位置決定手段により候補として決定された画素位置に対応する閾値を、前記比較結果に応じて０に書き換えることを特徴とする請求項１８に記載の画像処理装置。
【請求項２０】
入力画像に対し、量子化することによりハーフトーン画像を生成する画像処理方法において、
値の異なる閾値が配列された閾値マトリクスを保持する保持ステップと、
前記入力画像における所定領域について、前記所定領域に含まれる複数の画素の各画素値に基づいて、閾値を書き換える画素位置の候補を決定する画素位置決定ステップと、
前記所定領域に対応する複数の閾値のうち少なくとも１つの閾値を用いて、前記決定するステップで候補と決定された画素位置の閾値を決定する閾値決定ステップと、
を含むことを特徴とする画像処理方法。
【請求項２１】
コンピュータを、請求項１乃至１６、１８、１９のいずれか１項に記載の画像処理装置として機能させるためのプログラム。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
画像形成用画素と位相差検出用画素を含む画素配列と、
外部の制御手段から受け取った補正処理情報を記憶する記憶手段と、
前記記憶手段に記憶された前記補正処理情報および前記位相差検出用画素の位置情報を前記画素配列から得られる画像データに前記画像データのヘッダ情報として付加する情報付加手段と、
前記ヘッダ情報を含む前記画像データを出力する出力手段と、
を有することを特徴とする撮像素子。
【請求項２】
前記情報付加手段は、撮影条件に対応する前記補正処理情報を前記画像データに付加することを特徴とする請求項１に記載の撮像素子。
【請求項３】
前記情報付加手段は、撮影条件を含む前記補正処理情報を前記画像データに付加することを特徴とする請求項１に記載の撮像素子。
【請求項４】
前記撮影条件は、感度、絞りの大きさ、温度の１つ以上を含むことを特徴とする請求項２または３に記載の撮像素子。
【請求項５】
前記画素配列が第１の半導体チップ上に形成されるとともに、前記情報付加手段および前記出力手段が第２の半導体チップ上に形成され、前記第１の半導体チップおよび前記第２の半導体チップは互いに積層されることを特徴とする請求項１乃至４のいずれか１項に記載の撮像素子。
【請求項６】
画像形成用画素と位相差検出用画素を含む画素配列と、外部の制御手段から受け取った補正処理情報を記憶する記憶手段と、前記記憶手段に記憶された前記補正処理情報および前記位相差検出用画素の位置情報を前記画素配列から得られる画像データに前記画像データのヘッダ情報として付加する情報付加手段と、前記ヘッダ情報を含む前記画像データを出力する出力手段とを有する撮像素子と、
前記補正処理情報および前記位相差検出用画素の前記位置情報を用いて前記画像データに所定の画像処理を施す画像処理手段と、
を有することを特徴とする撮像装置。
【請求項７】
前記情報付加手段は、撮影条件に対応する前記補正処理情報を前記画像データに付加することを特徴とする請求項６に記載の撮像装置。
【請求項８】
前記情報付加手段は、撮影条件を含む前記補正処理情報を前記画像データに付加することを特徴とする請求項６に記載の撮像装置。
【請求項９】
前記撮影条件は、感度、絞りの大きさ、温度の１つ以上を含むことを特徴とする請求項７または８に記載の撮像装置。
【請求項１０】
前記画像処理手段は、前記位相差検出用画素に係る画素データと、前記画像形成用画素に係る画素データとのレベルの差を補正することを特徴とする請求項６乃至９のいずれか１項に記載の撮像装置。
【請求項１１】
前記画像処理手段は、前記位相差検出用画素のクロストークの影響を補正することを特徴とする請求項６乃至１０のいずれか１項に記載の撮像装置。
【請求項１２】
前記画像処理手段は、撮像画像を生成するために前記位相差検出用画素に係る画素データに所定の処理を施す第１の補正手段と、位相差検出用の信号を生成するために前記位相差検出用画素に係る画素データに所定の処理を施す第２の補正手段とを有し、
前記情報付加手段は、前記第１の補正手段が用いる補正パラメータの識別情報と前記第２の補正手段が用いる補正パラメータの識別情報とを含む前記補正処理情報を前記画像データに付加することを特徴とする請求項６乃至１１のいずれか１項に記載の撮像装置。
【請求項１３】
前記画像処理手段は、前記補正処理情報に含まれる、前記第１の補正手段および前記第２の補正手段が用いる前記補正パラメータの前記識別情報を前記第１の補正手段および前記第２の補正手段にそれぞれ分配する分配手段をさらに有することを特徴とする請求項１２に記載の撮像装置。
【請求項１４】
前記画素配列が第１の半導体チップ上に形成されるとともに、前記情報付加手段および前記出力手段が第２の半導体チップ上に形成され、前記第１の半導体チップおよび前記第２の半導体チップは互いに積層されることを特徴とする請求項６乃至１３のいずれか１項に記載の撮像装置。
【請求項１５】
画像形成用画素と位相差検出用画素とを含む画素配列を有する撮像素子を備えた撮像装置の制御方法であって、
画像処理手段が、外部の制御手段から受け取った補正処理情報を記憶する記憶工程と、
情報付加手段が、前記記憶工程において記憶された前記補正処理情報および前記位相差検出用画素の位置情報を前記画素配列から得られる画像データに前記画像データのヘッダ情報として付加する情報付加工程と、
出力手段が、前記ヘッダ情報を含む前記画像データを出力する出力工程と、
画像処理手段が、前記補正処理情報および前記位相差検出用画素の前記位置情報を用いて前記画像データに所定の画像処理を施す画像処理工程と、
を有することを特徴とする撮像装置の制御方法。
【手続補正２】
【補正対象書類名】明細書
【補正対象項目名】発明の名称
【補正方法】変更
【補正の内容】
【発明の名称】撮像素子、撮像装置およびその制御方法
【手続補正３】
【補正対象書類名】明細書
【補正対象項目名】０００１
【補正方法】変更
【補正の内容】
【０００１】
本発明は、撮像素子、撮像装置およびその制御方法に関する。
【手続補正４】
【補正対象書類名】明細書
【補正対象項目名】０００７
【補正方法】変更
【補正の内容】
【０００７】
本発明は、上述の従来技術の問題点に鑑みてなされ、撮像センサが位相差検出用の画素を有する場合に、これに伴う補正処理を制御するための制御部の負荷を軽減することが可能な撮像素子、撮像装置およびその制御方法を提供することを目的とする。
【手続補正５】
【補正対象書類名】明細書
【補正対象項目名】０００８
【補正方法】変更
【補正の内容】
【０００８】
この課題を解決するため、例えば本発明の撮像素子は以下の構成を備える。すなわち、画像形成用画素と位相差検出用画素を含む画素配列と、外部の制御手段から受け取った補正処理情報を記憶する記憶手段と、記憶手段に記憶された補正処理情報および位相差検出用画素の位置情報を画素配列から得られる画像データに画像データのヘッダ情報として付加する情報付加手段と、ヘッダ情報を含む画像データを出力する出力手段と、を有することを特徴とする。
【手続補正書】
【提出日】平成29年1月19日(2017.1.19)
【手続補正１】
【補正対象書類名】特許請求の範囲
【補正対象項目名】請求項９
【補正方法】変更
【補正の内容】
【請求項９】
請求項８に記載の転流式直流遮断器の監視方法において、
前記転流用コンデンサの充電電圧の低下を前記検出ユニットで検出することにより、前記転流式直流遮断器による事故電流の遮断失敗を前記監視装置へ表示すると共に、前記転流式直流遮断器の故障時に開放する上位側の遮断器及びき電側遮断器の開放指令を行うことを特徴とする転流式直流遮断器の監視方法。
【手続補正書】
【提出日】平成29年6月1日(2017.6.1)
【手続補正１】
【補正対象書類名】明細書
【補正対象項目名】０００３
【補正方法】変更
【補正の内容】
【０００３】
例えば、特許文献１では、１ページ分の画像データを印刷装置に送信する際に、プリンタードライバーにより１ページ分の画像データを垂直方向および水平方向に沿って複数のブロックに分割し、垂直方向に沿った一部のブロックと水平方向に沿った一部のブロックとを組み合わせた領域を単位として順次印刷装置に送信する。この構成により、特許文献１は、用紙の送り方向を意識せずドキュメントを作成することができると共に、ブロック単位で処理することにより、データ生成・送信に要する時間を短縮できる、といった効果を奏する。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
第１のユーザの識別情報と第１のユーザの有する機器の機器識別情報とを関連付けて管理する第１の情報管理手段と、
第２のユーザの識別情報と第２のユーザの有する複数の機器の機器識別情報とを関連付けて管理する第２の情報管理手段と、
前記第１のユーザの識別情報と前記第２のユーザの識別情報との関連付けを行うことで、前記第１のユーザの有する機器と前記第２のユーザの有する機器との間でのデータの送受信を制御する制御手段と、を有し、
前記制御手段は、前記第１のユーザから前記第２のユーザへの要求を受信し、
前記第１のユーザからの要求を前記第２のユーザの有する複数の機器へ送信し、
前記第２のユーザが前記第２のユーザの有する機器のいずれかで許可の操作を行うことで、当該第２のユーザの有する機器から許可の情報を受信すると、前記第１のユーザと前記第２のユーザの関連付けを行い、
前記第２のユーザの有する複数の機器のうち、前記許可の情報を送信した機器以外に対して、前記要求の取り消しを通知することを特徴とする情報処理装置。
【請求項２】
前記要求を送信した前記第１のユーザの有する機器の識別情報と、前記要求を受信した第２のユーザの有する機器の識別情報と、前記要求に対する応答状態を示す情報とを関連付けて管理する第３の情報管理手段をさらに有することを特徴とする請求項１に記載の情報処理装置。
【請求項３】
前記第３の情報管理手段は、前記要求を受信した第２のユーザの有する機器のいずれかから許可の情報を受信すると、当該許可の情報を送信してきた機器以外の前記要求に対する応答状態を示す情報を取り消しまたは許可に更新することを特徴とする請求項２に記載の情報処理装置。
【請求項４】
前記制御手段は、前記第１のユーザの有する機器から前記要求を受信したときに、前記第２のユーザの有する複数の機器の中に既に許可の情報を送信してきた機器がある場合、当該既に許可の情報を送信してきた機器があることを前記第１のユーザの有する機器へ通知することを特徴とする請求項１ないし３のいずれか１項に記載の情報処理装置。
【請求項５】
前記制御手段は、前記要求に対して前記第２のユーザの有する複数の機器のいずれかから許可の情報を受信したことを前記第１のユーザの有する機器に通知することを特徴とする請求項１ないし４のいずれか１項に記載の情報処理装置。
【請求項６】
前記制御手段は、前記要求を受信した第２のユーザの有する複数の機器のうち、前記許可の情報を送信してきた機器以外に対して、前記要求の取り消しを通知する代わりに、他の機器から許可の情報を受信したことを通知することを特徴とすることを特徴とする請求項１ないし５のいずれか１項に記載の情報処理装置。
【請求項７】
前記要求は、当該要求を送信した第１のユーザの有する機器の識別情報と、前記要求を受信する第２のユーザの有する複数の機器の識別情報とを含むことを特徴とする請求項１ないし６のいずれか１項に記載の情報処理装置。
【請求項８】
第１のユーザの識別情報と第１のユーザの有する機器の機器識別情報とを関連付けて管理すると共に、第２のユーザの識別情報と第２のユーザの有する複数の機器の機器識別情報とを関連付けて管理する情報管理手段と、前記第１のユーザの識別情報と前記第２のユーザの識別情報との関連付けを行うことで、前記第１のユーザの有する機器と前記第２のユーザの有する機器との間でのデータの送受信を制御する制御手段と、を有する情報処理装置の制御方法であって、
前記第１のユーザから前記第２のユーザへの要求を受信するステップと、
前記第１のユーザからの要求を前記第２のユーザの有する複数の機器へ送信するステップと、
前記第２のユーザが前記第２のユーザの有する機器のいずれかで許可の操作を行うことで、当該第２のユーザの有する機器から許可の情報を受信すると、前記第１のユーザと前記第２のユーザの関連付けを行い、前記第２のユーザの有する複数の機器のうち、前記許可の情報を送信した機器以外に対して、前記要求の取り消しを通知するステップと、を有することを特徴とする情報処理装置の制御方法。
【請求項９】
コンピュータを、請求項１ないし７のいずれか１項に記載の情報処理装置の各手段として機能させるためのプログラム。
【請求項１０】
コンピュータを、請求項１ないし７のいずれか１項に記載の情報処理装置の各手段として機能させるためのプログラムを記憶したコンピュータによる読み取りが可能な記憶媒体。
【手続補正２】
【補正対象書類名】明細書
【補正対象項目名】００１９
【補正方法】変更
【補正の内容】
【００１９】
ここで、要求元ユーザ機器から要求先ユーザ機器を指定して送信許可要求が行われたときの管理サーバ１０５の動作について説明する。
【手続補正３】
【補正対象書類名】明細書
【補正対象項目名】００２３
【補正方法】変更
【補正の内容】
【００２３】
このような機能を有することによって、送信先ユーザが所有する複数のユーザ機器のうちいずれかの要求先ユーザ機器１０２Ｘ１（Ｘ２）から管理サーバ１０５へ送信許可要求に対する応答を行うと、応答を行った機器以外の機器１０２Ｘ２（Ｘ１）に対する送信許可要求が取り消される。よって、ユーザは、自己が所有するいずれかの機器で既に送信許可要求に対して応答済みであることを確認できる。
【手続補正４】
【補正対象書類名】明細書
【補正対象項目名】００８２
【補正方法】変更
【補正の内容】
【００８２】
本実施形態によれば、送信先ユーザが所有するいずれかの要求先ユーザ機器１０２Ｘ１（Ｘ２）から管理サーバ１０５へ送信許可要求に対する応答を行うと、応答を行った機器以外の機器１０２Ｘ２（Ｘ１）に対する送信許可要求が取り消される。よって、ユーザは、自己が所有するいずれかの機器で既に送信許可要求に対して応答済みであることを確認できる。
【手続補正書】
【提出日】平成29年6月14日(2017.6.14)
【手続補正１】
【補正対象書類名】明細書
【補正対象項目名】０００６
【補正方法】変更
【補正の内容】
【０００６】
上記課題を解決するため、請求項１に記載の発明の情報出力装置は、
顧客識別情報が記憶された通信端末から読み取られた前記顧客識別情報に基づいて特定した顧客のオーダーに基づいて提供された飲食物の容器内の残量又は温度を取得する取得部と、
前記取得部により取得された残量又は温度に基づいて、オーダータイミングを決定するオーダータイミング決定部と、
前記決定されたオーダータイミングでメニューに関連する情報を提示する提示部と、
を備える。
【手続補正２】
【補正対象書類名】特許請求の範囲
【補正対象項目名】全文
【補正方法】変更
【補正の内容】
【特許請求の範囲】
【請求項１】
顧客識別情報が記憶された通信端末から読み取られた前記顧客識別情報に基づいて特定した顧客のオーダーに基づいて提供された飲食物の容器内の残量又は温度を取得する取得部と、
前記取得部により取得された残量又は温度に基づいて、オーダータイミングを決定するオーダータイミング決定部と、
前記決定されたオーダータイミングでメニューに関連する情報を提示する提示部と、
を備える情報出力装置。
【請求項２】
飲食物の種類毎に残量又は温度の閾値を記憶する閾値記憶部を備え、
前記オーダータイミング決定部は、前記取得部により取得された残量又は温度と前記閾値記憶部に記憶されている前記飲食物の種類に対応する閾値との比較結果に基づいて、前記オーダータイミングを決定する請求項１に記載の情報出力装置。
【請求項３】
前記提示部により提示するメニューに関連する情報を決定するメニュー決定部を備える請求項１又は２に記載の情報出力装置。
【請求項４】
前記顧客毎にオーダー履歴を記憶する記憶部を備え、
前記メニュー決定部は、前記飲食物をオーダーした顧客のオーダー履歴に基づいて、前記提示部により提示するメニューに関連する情報を決定する請求項３に記載の情報出力装置。
【請求項５】
前記記憶部は、オーダー履歴として少なくともオーダーされたメニュー及びオーダーされた時刻を記憶し、
前記メニュー決定部は、前記飲食物をオーダーした顧客のオーダー履歴を参照し、前記顧客が過去にオーダーした時間帯及びオーダーした順序に基づいて、前記提示部により提示するメニューに関連する情報を決定する請求項４に記載の情報出力装置。
【請求項６】
前記飲食物をオーダーした顧客のオーダー履歴に基づいて、前記取得部において前記残量又は温度を取得する間隔を決定する間隔決定部を備える請求項４又は５に記載の情報出力装置。
【請求項７】
同じテーブルで飲食している顧客のオーダー履歴を記憶する記憶部を備え、
前記メニュー決定部は、前記飲食物をオーダーした顧客と同じテーブルの他の顧客がオーダーしたメニューを前記提示部により提示するメニューに関連する情報として決定する請求項３に記載の情報出力装置。
【請求項８】
請求項１〜７の何れか一項に記載の情報出力装置と、センサ装置と、を備えたオーダーシステムであって、
前記センサ装置は、前記オーダーに基づいて提供された飲食物の容器内の残量又は温度を検出する検出部を備え、
前記取得部は、前記センサ装置により検出された残量又は温度を取得するオーダーシステム。
【請求項９】
店舗のテーブル毎に、請求項１〜７の何れか一項に記載の情報出力装置と、当該テーブル内の座席に対応して配置されたセンサ装置と、を備え、
前記センサ装置のそれぞれは、当該センサ装置に対応する座席に着席した顧客によるオーダーに基づいて提供された飲食物の残量又は温度を検出し、
前記取得部は、前記センサ装置のそれぞれにより検出された残量又は温度を取得し、
前記オーダータイミング決定部は、前記取得部により取得された残量又は温度に基づいて、前記テーブル内の座席に着席した顧客それぞれのオーダータイミングを決定し、
前記提示部は、前記テーブル内の座席に着席した顧客のそれぞれに対して前記決定されたオーダータイミングでメニューに関連する情報を提示する請求項８に記載のオーダーシステム。
【請求項１０】
前記センサ装置のそれぞれは、
当該センサ装置に対応する座席に着席した顧客の顧客識別情報が記憶された通信端末から前記顧客の識別情報を読み取る読取部と、
前記読取部により読み取った顧客識別情報を当該センサ装置に割り当てられたセンサ識別情報に対応付けて前記情報出力装置に送信する通信部とを備え、
前記情報出力装置は、
前記センサ装置から受信したセンサ識別情報及び顧客識別情報に基づいて、前記テーブルの座席に着席している顧客を特定する顧客特定部を備える請求項９に記載のオーダーシステム。
【請求項１１】
前記センサ装置は、オーダーに基づいて提供された飲食物の入った容器を載置するコースターに設けられている請求項８〜１０の何れか一項に記載のオーダーシステム。
【請求項１２】
顧客識別情報が記憶された通信端末から読み取られた前記顧客識別情報に基づいて特定した顧客のオーダーに基づいて提供された飲食物の容器内の残量又は温度を取得する工程と、
前記取得された残量又は温度に基づいて、オーダータイミングを決定する工程と、
前記決定されたオーダータイミングでメニューに関連する情報を提示する工程と、
を含むオーダー提示方法。
【請求項１３】
コンピュータを、
顧客識別情報が記憶された通信端末から読み取られた前記顧客識別情報に基づいて特定した顧客のオーダーに基づいて提供された飲食物の容器内の残量又は温度を取得する取得部、
前記取得部により取得された残量又は温度に基づいて、オーダータイミングを決定するオーダータイミング決定部、
前記決定されたオーダータイミングでメニューに関連する情報を提示する提示部、
として機能させるためのプログラム。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
通信ネットワークに接続可能な制御対象の印刷装置に、前記通信ネットワークを介してアクセス可能な通信部と、
前記印刷装置を特定する識別情報を読み取る読取部と、
前記通信部により、前記識別情報に対応する前記通信ネットワーク上のアドレスを前記印刷装置から取得する制御部と、
を備え、
前記制御部は、前記読取部が前記識別情報を読み取ったことを契機として、前記通信部により、前記通信ネットワーク上のアドレスを取得した前記印刷装置宛てに印刷データを送信することを特徴とする通信端末装置。
【請求項２】
前記制御部は、ブロードキャストを使用して前記通信ネットワークに問い合わせパケットを送信することにより、前記印刷装置から前記通信ネットワーク上のアドレスを取得することを特徴とする請求項１記載の通信端末装置。
【請求項３】
前記制御部は、前記通信ネットワーク上のアドレスを取得することができない場合に、前記通信ネットワーク上のアドレスの取得に失敗した旨を表示部に表示させることを特徴とする請求項１又は２記載の通信端末装置。
【請求項４】
前記読取部は、前記印刷装置に付着されたＮＦＣタグに記録された前記識別情報、又は前記印刷装置に付着された、ＱＲコード化された前記識別情報を読み取ることを特徴とする請求項１から３のいずれか一項に記載の通信端末装置。
【請求項５】
前記識別情報は、ＭＡＣアドレスであり、前記通信ネットワーク上のアドレスは、ＩＰアドレスであることを特徴とする請求項１から４のいずれか一項に記載の通信端末装置。
【請求項６】
通信ネットワークに接続可能な複数の制御対象の印刷装置と、
前記複数の制御対象の印刷装置の中から選択した印刷装置に処理を実行させる通信端末装置と、を備え、
前記通信端末装置は、通信ネットワークに接続された制御対象の印刷装置に、前記通信ネットワークを介してアクセス可能な通信部と、
前記印刷装置を特定する識別情報を読み取る読取部と、
前記通信部により、前記識別情報に対応する前記通信ネットワーク上のアドレスを前記印刷装置から取得する制御部と、を備え、
前記制御部は、前記読取部が前記識別情報を読み取ったことを契機として、前記通信部により、前記通信ネットワーク上のアドレスを取得した前記印刷装置宛てに印刷データを送信する
ことを特徴とする通信システム。
【請求項７】
前記印刷装置は、通信を行うネットワークデバイスとレジストリを有し、前記識別情報を前記ネットワークデバイスの備えるメモリーに保存し、前記通信ネットワーク上のアドレスを前記レジストリに保存することを特徴とする請求項６に記載の通信システム。
【請求項８】
通信端末装置のコンピュータに、
印刷装置を特定する識別情報を読み取る手順と、
通信ネットワークに接続可能な制御対象の印刷装置に、前記通信ネットワークを介してアクセス可能な通信部により、前記識別情報に対応する前記通信ネットワーク上のアドレスを前記印刷装置から取得する手順と、
前記識別情報を読み取ったことを契機として、前記通信部により、前記通信ネットワーク上のアドレスを取得した前記印刷装置宛てに印刷データを送信する手順と、
を実行させるためのプログラム。
【請求項９】
印刷装置を特定する識別情報を読み取るステップと、
通信ネットワークに接続可能な制御対象の印刷装置に、前記通信ネットワークを介してアクセス可能な通信部により、前記識別情報に対応する前記通信ネットワーク上のアドレスを前記印刷装置から取得するステップと、
前記識別情報を読み取ったことを契機として、前記通信部により、前記通信ネットワーク上のアドレスを取得した前記印刷装置宛てに印刷データを送信するステップと、
を有することを特徴とする通信端末装置の制御方法。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
アクセスポイントを介して第１印刷装置に印刷データを送信する第１無線通信方式および認証処理をしてから第２印刷装置に前記印刷データを送信する第２無線通信方式を含む無線通信方式の異なる複数の通信部と、
前記第１無線通信方式または前記第２無線通信方式を特定する無線通信方式を示す情報と、前記第１印刷装置または前記第２印刷装置を特定する識別情報とを読み取る読取部と、
前記読取部が読み取った情報に基づいて前記第１無線通信方式および前記第２無線通信方式のいずれかの前記通信部を選択し、選択した前記通信部を使用して前記第１印刷装置または前記第２印刷装置との接続を確立する制御部と、
を備えたことを特徴とする通信端末装置。
【請求項２】
前記制御部は、前記読取部により、前記第１無線通信方式を示す情報と前記識別情報として前記第１無線通信方式に係るアドレスが読み取られた場合、前記第１無線通信方式に対応した前記通信部を選択して前記アクセスポイントを介して前記第１印刷装置との接続を確立することを特徴とする請求項１記載の通信端末装置。
【請求項３】
前記制御部は、前記読取部により、前記第２無線通信方式を示す情報と前記識別情報として前記第２無線通信方式に係るアドレスが読み取られた場合、前記第２無線通信方式に対応した前記通信部を選択して前記第２印刷装置と認証処理を行なって接続を確立することを特徴とする請求項１または２に記載の通信端末装置。
【請求項４】
前記読取部は、前記印刷装置に付着されたタグと第３無線通信方式により通信を行ない、前記無線通信方式を示す情報と前記識別情報とを読み取り、或いは、前記印刷装置に付着された２次元コードに基づき前記無線通信方式を示す情報と前記識別情報とを読み取ることを特徴とする請求項１から３のいずれか一項に記載の通信端末装置。
【請求項５】
第１無線通信方式によりアクセスポイントを介して印刷データを受信可能な第１印刷装置、または第２無線通信方式により認証処理後前記印刷データを受信可能な第２印刷装置と、
前記第１印刷装置または第２印刷装置に前記印刷データを送信可能な通信端末装置とを備える通信システムであって、
前記通信端末装置は、
前記第１無線通信方式と前記第２無線通信方式を含む無線通信方式の異なる複数の通信部と、
前記第１無線通信方式または前記第２無線通信方式を特定する無線通信方式を示す情報と、前記第１印刷装置または前記第２印刷装置を特定する識別情報とを読み取る読取部と、
前記読取部が読み取った情報に基づいて前記第１無線通信方式および前記第２無線通信方式のいずれかの前記通信部を選択し、選択した前記通信部を使用して前記第１印刷装置または前記第２印刷装置との接続を確立する制御部と、
を備えることを特徴とする通信システム。
【請求項６】
第１無線通信方式によりアクセスポイントを介して印刷データを受信可能な第１印刷装置、または第２無線通信方式により認証処理後前記印刷データを受信可能な第２印刷装置に、前記印刷データを送信可能な通信端末装置のコンピュータに、
前記第１無線通信方式または前記第２無線通信方式を特定する無線通信方式を示す情報と、前記第１印刷装置または前記第２印刷装置を特定する識別情報とを読み取る手順と、
読み取った情報に基づいて前記第１無線通信方式および前記第２無線通信方式のいずれかの通信部を選択して、選択した前記通信部を使用して前記第１印刷装置または前記第２印刷装置との接続を確立する手順と、
を実行させるためのプログラム。
【請求項７】
第１無線通信方式によりアクセスポイントを介して印刷データを受信可能な第１印刷装置、または第２無線通信方式により認証処理後前記印刷データを受信可能な第２印刷装置に、前記印刷データを送信可能な通信端末装置の制御方法であって、
前記第１無線通信方式または前記第２無線通信方式を特定する無線通信方式を示す情報と、前記第１印刷装置または前記第２印刷装置を特定する識別情報とを読み取るステップと、
読み取った情報に基づいて前記第１無線通信方式および前記第２無線通信方式のいずれかの通信部を選択し、選択した前記通信部を使用して前記第１印刷装置または前記第２印刷装置との接続を確立するステップと、
を有することを特徴とする通信端末装置の制御方法。